(57)【特許請求の範囲】
【請求項１】
壁面に固定される長尺状の基台本体部を有する基台と、当該基台の基台本体部に組付けられることで、当該基台とで配線・配管材の収容空間を形成する蓋体と、から成る長尺状の保護カバーであって、
前記基台は、前記基台本体部に設けられて、第１配線・配管材を保持する第１保持部と、当該第１保持部で保持された第１配線・配管材に対して前記壁面と反対側に第２配線・配管材を保持する第２保持部とを備え、
前記基台は、前記第１及び第２の各配線・配管材を前記壁面に沿った方向に並列配管する場合よりも狭い幅を有し、
前記基台には、前記第１保持部とは別体の保持具が、自身の取着部を介して取着されて、当該保持具に前記第２保持部が設けられていることで、二段配管が可能であり、
前記保持具は、前記基台本体部よりも短く、前記基台の長手方向に間隔をあけて複数取着可能であることを特徴とする保護カバー。
【請求項２】
前記保持具は、前記基台の長手方向の任意の位置に取着可能であることを特徴とする請求項１に記載の保護カバー。
【請求項３】
前記第１保持部は、２本の第１配線・配管材を壁面に沿った方向に並列配管させて保持可能であり、前記保持具の取着部は、壁面に沿った方向に並列配置された２つの第１保持部の間に差し込まれて取着可能であることを特徴とする請求項１又は２に記載の保護カバー。
【請求項４】
壁面に固定される長尺状の基台本体部を有する基台と、当該基台の基台本体部に組付けられることで、当該基台とで配線・配管材の収容空間を形成する蓋体と、から成る長尺状の保護カバーであって、
前記基台は、前記基台本体部に設けられて、第１配線・配管材を保持する第１保持部と、当該第１保持部で保持された第１配線・配管材に対して前記壁面と反対側に第２配線・配管材を保持する第２保持部とを備え、
前記基台は、前記第１及び第２の各配線・配管材を前記壁面に沿った方向に並列配管する場合よりも狭い幅を有し、
前記第１保持部に保持された第１配線・配管材には、当該第１保持部とは別体の保持具が、自身の取着部を介して当該第１配線・配管材に取着されて、当該保持具に前記第２保持部が設けられることで、二段配管が可能であり、
前記第１保持部は、前記基台本体部の長手方向に間隔をあけて複数設けられ、
前記保持具は、前記複数の第１保持部の間で、当該第１保持部で保持された第１配線・配管材が側方に露出する箇所に取着されることを特徴とする保護カバー。
【請求項５】
上段となる前記保持具の第２保持部は、２本の第２配線・配管材を壁面の方向に沿って並列保持可能であって、当該保持具の取着部は、当該２本の第２配線・配管材の間に配置されていることを特徴とする請求項１ないし４のいずれかに記載の保護カバー。
【請求項６】
前記保持具は、自身のみで第２配線・配管材を保持可能であることを特徴とする請求項１ないし５のいずれかに記載の保護カバー。
【請求項７】
前記保持具に設けられた上段の第２保持部の開口は、当該保持具の取着状態において下段の第１配線・配管材の側を向いていることを特徴とする請求項１ないし６のいずれかに記載の保護カバー。
【請求項８】
前記第１保持部の開口は、上段となる第２保持部の側を向いていることを特徴とする請求項１ないし７のいずれかに記載の保護カバー。
【請求項９】
前記第１保持部は、２本の第１配線・配管材を壁面に沿った方向に並列配管させて保持可能であることを特徴とする請求項１ないし８のいずれかにに記載の保護カバー。
【請求項１０】
第１配線・配管材を保持する第１保持部を備えていて、壁面に固定される基台と、当該基台に組み付けられることで、前記第１保持部に保持される配線・配管材の収容空間を形成する単段配管用の蓋体と、から成る長尺状の単段配管用の保護カバーと、
前記基台又は前記第１保持部に保持された第１配線・配管材に取着される取着部と、当該第１配線・配管材に取着された状態で、前記基台の第１保持部に保持された第１配線・配管材に対して前記壁面と反対側に第２配線・配管材を二段配管して保持する第２保持部とを備える保持具と、
前記保持具の取着状態で、前記単段配管用の蓋体に代えて、前記基台に組付けられることで、二段配管された第１及び第２の各配線・配管材を収容する収容空間を形成する二段配管用の蓋体と、
を備えていることを特徴とする保護カバー装置。
【発明の詳細な説明】
【技術分野】
【０００１】
本発明は、壁面に固定される基台と、当該基台との組付けにより配線・配管材の収容空間を形成する蓋体とから成る長尺状の保護カバー、及び保護カバー装置に関するものであり、更に詳しくは、前記壁面に対して垂直な方向に沿って配線・配管材を二段配管できる保護カバー、及び保護カバー装置に関するものである。
【背景技術】
【０００２】
上記した保護カバーの本来的な構造は、単に１本の配線・配管材を収容するものであった。その後に、例えば、浴槽に対する給水・給湯を可能にするために、給水管及び給湯管の２本の配管が必要となり、当該２本の管を並列配管させて収容保持可能にするための保護カバー（以下、「並列型保護カバー」と略す）が出現した（特許文献１）。
【０００３】
また、給湯設備を備えた浴槽設備において、追焚きを可能にする要望があり、この場合には、浴槽と給湯設備との間を更に別の２本の管（１本は、浴槽内の湯を給湯設備に戻す配管であり、他の１本は、給湯設備で加温された湯を浴槽に戻す配管である）で接続する必要がある。
【０００４】
この場合には、給水管と給湯管とが纏めて収容された一つの保護カバーが壁面に設置されており、この状態で、浴槽と給湯設備とを接続する追焚き用の別の２本の管を配管する必要があるが、「並列型保護カバー」を別に設置するスペースがない場合がある。仮に、当該スペースが残っているとしても、既設の「並列型保護カバー」とは別に、新設の「並列型保護カバー」を設置することは、外観の点で見栄えが悪くなる。なお、追焚き用の２本の管の配管工事は、リフォーム工事で行われることが多い。
【先行技術文献】
【特許文献】
【０００５】
【特許文献１】実開平４−１０９２９０号公報
【発明の概要】
【発明が解決しようとする課題】
【０００６】
本発明は、壁面に対して垂直な方向に沿って配線・配管材を二段配管できる保護カバー、及び保護カバー装置の提供を課題としている。
【課題を解決するための手段】
【０００７】
上記の課題を解決するための請求項１の発明は、壁面に固定される長尺状の基台本体部を有する基台と、当該基台の基台本体部に組付けられることで、当該基台とで配線・配管材の収容空間を形成する蓋体と、から成る長尺状の保護カバーであって、
前記基台は、前記基台本体部に設けられて、第１配線・配管材を保持する第１保持部と、当該第１保持部で保持された第１配線・配管材に対して前記壁面と反対側に第２配線・配管材を保持する第２保持部とを備え、
前記基台は、前記第１及び第２の各配線・配管材を前記壁面に沿った方向に並列配管する場合よりも狭い幅を有し、
前記基台には、前記第１保持部とは別体の保持具が、自身の取着部を介して取着されて、当該保持具に前記第２保持部が設けられていることで、二段配管が可能であり、
前記保持具は、前記基台本体部よりも短く、前記基台の長手方向に間隔をあけて複数取着可能であることを特徴としている。
【０００８】
請求項１の発明によれば、蓋体が組み付けられることにより内部に配線・配管材の収容空間を形成する基台には、第１配線・配管材を保持する第１保持部と、当該第１保持部で保持された第１配線・配管材に対して前記壁面と反対側に第２配線・配管材を保持する第２保持部とを備え、前記基台には、前記第１保持部とは別体の保持具が、自身の取着部を介して取着されて、当該保持具に前記第２保持部が設けられていることで、二段配管が可能となる。この結果、配線・配管材の１本当たりの壁面の占有面積を小さくできて、従来の並列型保護カバーの設置幅を有していない狭幅な部分においても、二段配管により２本の配線・配管材が配置可能となる。また、前記保持具は、前記基台本体部よりも短く、前記基台の長手方向に間隔をあけて複数取着可能であるので、第２配線・配管材は、長尺状の基台の長手方向に沿って間隔をおいて非連続状に保持される構造となって、第２保持部による第２配線・配管材の保持構造が簡単となる。
【０００９】
請求項２の発明は、請求項１の発明において、前記保持具は、前記基台の長手方向の任意の位置に取着可能であることを特徴としている。
【００１０】
請求項２の発明によれば、基台の長手方向の任意の位置に保持具が取着可能であるため、基台に対する保持具の取着操作、ひいては、配線・配管材の配線・配管作業が容易となる。
【００１１】
請求項３の発明は、請求項１又は２の発明において、前記第１保持部は、２本の第１配線・配管材を壁面に沿った方向に並列配管させて保持可能であり、前記保持具の取着部は、壁面に沿った方向に並列配置された２つの第１保持部の間に差し込まれて取着可能であることを特徴としている。
【００１２】
請求項３の発明によれば、基台に並列配管された２つの第１保持部の間に保持具の取着部を単に差し込むのみで、当該基台に対して保持具が取着可能であるために、基台に対する保持具の取着操作が容易となって、３本を超える配線・配管材を並列二段配管して行う配線・配管作業を迅速に行えると共に、基台に対する保持具の取着位置の変更も容易となる。
【００１３】
請求項４の発明は、壁面に固定される長尺の基台本体部を有する基台と、当該基台本体部に組付けられることで、当該基台とで配線・配管材の収容空間を形成する蓋体と、から成る長尺状の保護カバーであって、
前記基台は、当該基台に設けられて、第１配線・配管材を保持する第１保持部と、当該第１保持部で保持された第１配線・配管材に対して前記壁面と反対側に第２配線・配管材を保持する第２保持部とを備え、
前記基台は、前記第１及び第２の各配線・配管材を前記壁面に沿った方向に並列配管する場合よりも狭い幅を有し、
前記第１保持部に保持された第１配線・配管材には、当該第１保持部とは別体の保持具が、自身の取着部を介して当該第１配線・配管材に取着されて、当該保持具に前記第２保持部が設けられることで、二段配管が可能であり、
前記第１保持部は、前記基台本体部の長手方向に間隔をあけて複数設けられ、
前記保持具は、前記複数の第１保持部の間で、当該第１保持部で保持された第１配線・配管材が側方に露出する箇所に取着されることを特徴としている。
【００１４】
請求項４の発明によれば、前記第１保持部は、前記基台本体部の長手方向に間隔をあけて複数設けられ、前記保持具は、前記複数の第１保持部の間で、当該第１保持部で保持された第１配線・配管材が側方に露出する箇所に取着されるため、基台の第１保持部に第１配線・配管材を保持させて配管した後に、当該基台の第１保持部に保持された第１配線・配管材が側方に露出する部分に対して保持具を取着させて、当該保持具に設けられた第２保持部により第２配線・配管材が二段配管状態となって保持される。このように、基台が固定される壁面に対して上段となる第２保持部は、保持具に設けられているために、基台の構成が簡単になると共に、配管方向に沿って保持具を断続的に配置しても、第２保持部が形成可能となって、保持具の配置ピッチを自在に変えられる。なお、配線・配管材の二段配管が必要な場合にのみ保持具を使用して、保持具を使用しないことにより、配線・配管材の単管配置又は並列配管が可能となる。
【００１５】
請求項５の発明は、請求項１ないし４のいずれかの発明において、上段となる前記保持具の第２保持部は、２本の第２配線・配管材を壁面の方向に沿って並列保持可能であって、当該保持具の取着部は、当該２本の第２配線・配管材の間に配置されていることを特徴としている。
【００１６】
請求項５の発明によれば、上下の各段は、いずれも配線・配管材を並列配管して保持できて、２本の配線・配管材を並列配管できる幅を有する基台の使用によって、計４本の配線・配管材を配線・配管できる。また、２本の第２配線・配管材を並列配管できる上段の第２保持部を形成している保持具の取着部は、当該２本の第２配線・配管材の間に設けられているために、第２保持部に並列配管して保持された２本の第２配線・配管材を安定して保持できる。
【００１７】
請求項６の発明は、請求項１ないし５のいずれかの発明において、前記保持具は、自身のみで第２配線・配管材を保持可能であることを特徴としている。
【００１８】
請求項６の発明によれば、保持具は、自身で第２配線・配管材を保持できるので、基台又は当該基台の第１保持部に保持された第１配線・配管材に対して保持具を取着させる前に、当該保持具に対して第２配線・配管材を保持させ、この保持状態で当該保持具を前記基台又は当該基台に保持された第１配線・配管材に対して取着させることが可能となる。このため、上段に配置される第２配線・配管材の配線・配管が容易となる。
【００１９】
請求項７の発明は、請求項１ないし６のいずれかの発明において、前記保持具に設けられた上段の第２保持部の開口は、当該保持具の取着状態において下段の第１配線・配管材の側を向いていることを特徴としている。
【００２０】
請求項７の発明によれば、保持具の第２保持部に第２配線・配管材を保持させることにより、当該第２配線・配管材が抜け出るのを防止できる。
【００２１】
【００２２】
【００２３】
【００２４】
【００２５】
請求項８の発明は、請求項１ないし７のいずれかの発明において、前記第１保持部の開口は、上段となる第２保持部の側を向いていることを特徴としている。
【００２６】
発明８の発明によれば、上段の第２保持部に保持される第２配線・配管材によって、下段の第１保持部に保持された第１配線・配管材が抜け出るのを防止できる。
【００２７】
請求項９の発明は、請求項１ないし８のいずれかの発明において、前記第１保持部は、２本の第１配線・配管材を壁面に沿った方向に並列配管させて保持可能であることを特徴としている。
【００２８】
請求項９の発明によれば、基台の第１保持部は、２本の第１配線・配管材を壁面に沿った方向に並列配管させて保持可能であって、当該第１保持部の上段に形成される第２保持部においても、２本の第２配線・配管材を並列配管できて、２本の第１配線・配管材を並列配管可能な幅を有する基台に対して計４本の配線・配管材を収容配置できる。
【００２９】
請求項９の発明は、保護カバー装置であって、第１配線・配管材を保持する第１保持部を備えていて、壁面に固定される基台と、当該基台に組み付けられることで、前記第１保持部に保持される配線・配管材の収容空間を形成する単段配管用の蓋体と、から成る長尺状の単段配管用の保護カバーと、
前記基台又は前記第１保持部に保持された第１配線・配管材に取着される取着部と、当該第１配線・配管材に取着された状態で、前記基台の第１保持部に保持された第１配線・配管材に対して前記壁面と反対側に第２配線・配管材を二段配管して保持する第２保持部とを備える保持具と、
前記保持具の取着状態で、前記単段配管用の蓋体に代えて、前記基台に組付けられることで、二段配管された第１及び第２の各配線・配管材を収容する収容空間を形成する二段配管用の蓋体と、
を備えていることを特徴としている。
【００３０】
請求項９の発明によれば、単段配管用の保護カバーの使用により第１配線・配管材を単段配管できると共に、単段配管用の保護カバーの蓋体を使用せずに、単段配管用の基台に保持具を取着することで、当該基台の第１保持部及び当該保持具の第２保持部に、それぞれ第１及び第２の各配線・配管材を二段配管した状態で、当該基台に対して二段配管用の蓋体を組み付けることで、基台を共用して二段配管が可能となる。このため、基台に対して組み付けられる２種類の蓋体の選択と、保持具の使用の有無との組み合わせによって、同一の基台を使用して、目的に応じて配線・配管材の単段配管と二段配管とを自在に選択できる。
【発明の効果】
【００３１】
請求項１の発明は、基台には、当該基台の基台本体部に設けられた第１保持部とは別体の保持具が、自身の取着部を介して取着されて、当該保持具に第２保持部が設けられていることで、二段配管が可能であるので、配線・配管材の１本当たりの壁面の占有面積を小さくできて、従来の並列型保護カバーの設置幅を有していない狭幅な部分においても、二段配管により２本の配線・配管材が配置可能となる。また、前記保持具は、前記基台本体部よりも短く、前記基台の長手方向に間隔をあけて複数取着可能であるので、第２配線・配管材は、長尺状の基台の長手方向に沿って間隔をおいて非連続状に保持される構造となって、第２保持部による第２配線・配管材の保持構造が簡単となる。
【００３２】
請求項４の発明は、基台には、当該基台の基台本体部に設けられた第１保持部とは別体の保持具が、自身の取着部を介して取着されて、当該保持具に第２保持部が設けられていることで、二段配管が可能であって、前記第１保持部は、前記基台本体部の長手方向に間隔をあけて複数設けられ、前記保持具は、前記複数の第１保持部の間で、当該第１保持部で保持された第１配線・配管材が側方に露出する箇所に取着される構成であるので、基台の構成が簡単になると共に、配管方向に沿って保持具を断続的に配置しても、第２保持部が形成可能となって、保持具の配置ピッチを自在に変えられる。
また、請求項９の発明のように、基台に対して保持具を取着した状態で当該基台に組み付けられて、当該基台との組付けにより、基台及び保持具に設けられた第１及び第２の各保持部に、それぞれ第１及び第２の各配線・配管材を保持可能な収容空間を形成する二段配管用の蓋体を備えている場合には、基台に対して組み付けられる２種類の蓋体の選択と、保持具の使用の有無との組み合わせによって、同一の基台を使用して、目的に応じて配線・配管材の単段配管と二段配管とを自在に選択できる。
【図面の簡単な説明】
【００３３】
【図１】４本の配管材Ｐ1 〜Ｐ4 を二段並列配管して収容保持可能な本発明の実施例１の保護カバーＣ1 の分解斜視図である。
【図２】同じく４本の配管材Ｐ1 〜Ｐ4 の収容保持状態の部分斜視図である。
【図３】（ａ），（ｂ）は、それぞれ異なる方向から見た保持具Ｓ1 の斜視図である。
【図４】保護カバーＣ1 により４本の配管材Ｐ1 〜Ｐ4 を二段並列配管して収容保持する途中の状態の断面図である。
【図５】同じく収容保持された状態の断面図である。
【図６】２本の配管材Ｐ1 ，Ｐ3'を二段配管して収容保持可能な本発明の実施例２の保護カバーＣ2 の分解斜視図である。
【図７】（ａ），（ｂ）は、それぞれ２本の配管材Ｐ1 ，Ｐ3'を保護カバーＣ2 に収容保持した状態において、長手方向に沿って異なる部分の断面図である。
【図８】２本の配管材Ｐ1 ，Ｐ3 を二段配管して収容保持可能な本発明の実施例３の保護カバーＣ3 の分解斜視図である。
【図９】（ａ），（ｂ）は、それぞれ２本の配管材Ｐ1 ，Ｐ3 を二段配管した状態、及び蓋体Ｌ3 を組み付けた状態の断面図である。
【図１０】（ａ），（ｂ）は、それぞれ２本の配管材Ｐ1 ，Ｐ3'を二段配管できる本発明の実施例４の保護カバーＣ4 ，Ｃ4'の断面図である。
【図１１】（ａ）は、本発明の実施例５の保護カバーＣ5 の保持具Ｓ5 の斜視図であり、（ｂ）は、二段並列配管された４本の配管材Ｐ1 〜Ｐ4 が保護カバーＣ5 に収容保持された状態の断面図である。
【図１２】（ａ）は、本発明の実施例６の保護カバーＣ6 の保持具Ｓ6 の斜視図であり、（ｂ）は、二段並列配管された４本の配管材Ｐ1 〜Ｐ4 が保護カバーＣ6 に収容保持された状態の断面図である。
【図１３】（ａ）は、本発明の実施例７の保護カバーＣ7 の保持具Ｓ7 の斜視図であり、（ｂ）は、二段並列配管された３本の配管材Ｐ1 〜Ｐ3 が保護カバーＣ7 に収容保持された状態の断面図である。
【図１４】（ａ），（ｂ）は、それぞれ４本の配管材Ｐ1,Ｐ2,Ｐ3', Ｐ4'を二段並列配管できる本発明の実施例８の保護カバーＣ8 ，Ｃ8'の断面図である。
【図１５】（ａ），（ｂ），（ｃ）は、それぞれ単段配管、及び二段配管における保護カバー装置Ｃ9,Ｃ9', Ｃ9'' の断面図である。
【図１６】（ａ）は、保持具Ｓ10の斜視図であり、（ｂ）は、単段配管、及び二段配管における保護カバー装置Ｃ10の断面図である。
【発明を実施するための形態】
【００３４】
以下、複数の実施例を挙げて、本発明を更に詳細に説明する。
【実施例１】
【００３５】
最初に、図１ないし図５を参照して、本発明の実施例１の保護カバーＣ1 について説明し、その後に、当該保護カバーＣ1 を使用して４本の配管材Ｐ1 〜Ｐ4 を二段並列配管する際の配管方法について説明する。図１は、４本の配管材Ｐ1 〜Ｐ4 を二段並列配管して収容保持可能な本発明の実施例１の保護カバーＣ1 の分解斜視図であり、図２は、同じく４本の配管材Ｐ1 〜Ｐ4 の収容保持状態の部分斜視図であり、図３（ａ），（ｂ）は、それぞれ異なる方向から見た保持具Ｓ1 の斜視図であり、図４は、保護カバーＣ1 により４本の配管材Ｐ1 〜Ｐ4 を二段並列配管して収容保持する途中の状態の断面図であり、図５は、同じく収容保持された状態の断面図である。なお、図示の配管例では、壁表において各配管材Ｐ1 〜Ｐ4 が９０°だけ屈曲され、しかも壁表から壁裏に向けて配管されている部分を示しており、壁表の屈曲部、及び壁裏への屈曲部において、それぞれ付属保護カバーＣ01，Ｃ02が使用されるが、本発明の特徴部は、付属保護カバーＣ01，Ｃ02の部分ではなくて、直状の保護カバーＣ1 の部分に存在する。よって、直状の保護カバーＣ1 について詳述し、付属保護カバーＣ01，Ｃ02の記述は、必要最小限に止める。
【００３６】
直状の保護カバーＣ1 は、本管を構成する給水管及び給湯管である２本の配管材Ｐ1 ，Ｐ2 を並列配管して収容可能な基台Ｖ1 と、追焚用の２本の配管材Ｐ3 ，Ｐ4 を並列配管状態で保持可能であって、当該基台Ｖ1 に並列配管して設けられた各第１保持部１の各内壁外側板部３の間に差し込まれる差込板部１３を備えた保持具Ｓ1 と、当該保持具Ｓ1 の使用により二段並列配管された計４本の配管材Ｐ1 〜Ｐ4 を覆った状態で、前記基台Ｖ1 に組み付けられる蓋体Ｌ1 とから成る。
【００３７】
保護カバーＣ1 の基台Ｖ1 は、２本の配管材Ｐ1 ，Ｐ2 を並列配管して保持可能な左右一対の第１保持部１が基台本体部２に設けられた構成である。第１保持部１は、外壁部Ｗ1aと内壁部Ｗ1bとによって形成される。また、内壁部Ｗ1bは、二重壁構造となっていて、基台本体部２に一体に設けられた内壁外側板部３と、当該内壁外側板部３の先端部に連結板部４を介し接続された内壁本体部５とで構成され、当該内壁本体部５は、収容保持する配管材Ｐ1 ，Ｐ2 の外周面に倣っている。即ち、内壁本体部５の横断面形状は、収容保持する配管材Ｐ1 ，Ｐ2 の外径に対応する円弧状をなしていて、収容保持された配管材Ｐ1 ，Ｐ2 を連続して密着させる部分を有する。これに対して、外壁部Ｗ1aは、高さ方向の中央部よりも僅かに基台本体部２の側にずれた部分に、内壁部Ｗ1bと協働して保持される配管材Ｐ1 ，Ｐ2 を斜下方から保持する弾性変形可能な保持片６が設けられ、配管材Ｐ1 ，Ｐ2 は、外壁部Ｗ1aの先端部と、当該外壁部Ｗ1aに一体に設けられた前記保持片６と、前記内壁本体部５とで保持される。基台Ｖ1 の各第１保持部１の開口７は、当該基台Ｖ1 に保持具Ｓ1 を取着した状態において、当該保持具Ｓ1 の第２保持部１１の側を向いている。また、基台Ｖ1 の左右一対の第１保持部１を構成する各外壁部Ｗ1aの基端部と基台本体部２との間には、当該基台Ｖ1 に対して蓋体Ｌ1 の組み付けを可能にするための嵌合溝８が設けられている。
【００３８】
また、基台Ｖ1 の各第１保持部１を形成する各内壁外側板部３は、前記保持具Ｓ1 の差込板部１３が挿入可能な間隔をおいて対向配置されていて、当該内壁外側板部３を形成する起立部３ａには、差し込まれた前記保持具Ｓ1 の差込板部１３が抜け出るのを防止する複数本の抜出防止突条１７が配管方向（直状の保護カバーＣ1 の長手方向）に沿って設けられている。
【００３９】
保持具Ｓ1 は、追焚用の２本の配管材Ｐ3 ，Ｐ4 を並列配管させて保持可能な左右一対の第２保持部１１を備えている。第２保持部１１は、配管材Ｐ3 ，Ｐ4 の外径に対応する内径の円筒体の周方向の一部を欠落させて、弾性変形可能な構造になっていて、連結板部１２を介して一体に連結され、当該連結板部１２の幅方向の中央部における一対の第２保持部１１が設けられた側と反対の側には、差込板部１３が一体に設けられている。保持具Ｓ1 は、当該差込板部１３の延長線に対して対称な形状になっていて、一対の第２保持部１１の各開口１４は、当該保持具Ｓ1 が前記差込板部１３を介して基台Ｖ1 に取着された状態で、第１保持部１の側（基台本体部２の側）を向いている。差込板部１３の先端部は、他の一般部、及び基台Ｖ1 の各内壁外側板部３の間隔よりも幅広に形成されていると共に、幅方向の中央部に弾性変形を助けるための溝１５が形成された抜出防止部１６が形成されており、差込板部１３の両側面には、複数の抜出防止突条１７が形成されている。また、左右一対の第２保持部１１は、空間部１９を介して左右に並列配管され、長手方向の中央部において部分的に互いに直交する連結板部１８及び連結体部１２により連結されていて、当該連結板部１８は、保持具Ｓ1 の差込板部１３を基台Ｖ1 の各内壁外側板部３の間に押し込んで差し込む際に押込み力を作用させられる部分として有効に機能する。
【００４０】
蓋体Ｌ1 は、図４及び図５に示されるように、左右一対の第１保持部１に２本の配管材Ｐ1 ，Ｐ2 が収容保持された基台Ｖ1 に対して左右一対の第２保持部１１に２本の配管材Ｐ1 ，Ｐ2 が収容保持された保持具Ｓ1 を差込板部１３を介して前記基台Ｖ1 に取着させて、当該基台Ｖ1 に二段並列状態で保持された計４本の配管材Ｐ1 〜Ｐ4 を覆って、当該基台Ｖ1 に組み付けられる部材である。蓋体Ｌ1 は、相対向する各側板部２１が天板部２２で連結されて、各側板部２１の内側面における開口に臨む部分には、基台Ｖ1 の嵌合溝８に対して嵌合可能な嵌合突部２３が形成された構成である。また、蓋体Ｌ1 の各側板部２１及び天板部２２の内側面には、連続して断熱材２４が配置されていて、断面視において当該断熱材２４の両端部は、前記嵌合突部２３を内方に突設させることにより形成される収容凹部２３ａ内に挿入されている。
【００４１】
次に、図１〜図５を参照して、上記した直状の保護カバーＣ1 を使用して、計４本の配管材Ｐ1 〜Ｐ4 を二段並列配管する場合について説明する。壁面Ｋには、保護カバーＣ1 の各基台Ｖ1 が直交配置されて、各基台Ｖ1 は、直交接続部において付属保護カバーＣ01の基台Ｖ01を介して接続されると共に、壁貫通部に近い側の基台Ｖ1 には、壁貫通用の付属保護カバーＣ02の基台Ｖ02が接続されて、各基台Ｖ1 ，Ｖ01，Ｖ02は、いずれも壁面Ｋに固定される。図１に示されるように、本管である各配管材Ｐ1 ，Ｐ2 の屈曲部及び壁貫通部は、それぞれエルボ１０１，１０２で接続されている。全く同様に、追焚用の配管材Ｐ3 ，Ｐ4 の屈曲部及び壁貫通部は、それぞれエルボ１０３，１０４で接続されている。そして、追焚用の配管材Ｐ3 ，Ｐ4 に関しては、保持具Ｓ1 を基台Ｖ1 に取着させる前に、当該保持具Ｓ1 に設けられた左右一対の第２保持部１１を弾性変形させることにより、当該一対の第２保持部１１に配管材Ｐ3 ，Ｐ4 が部分的に収容保持されて、互いに連結されている。
【００４２】
最初に、エルボ１０１，１０２を介して連結された配管材Ｐ1 ，Ｐ2 を、それぞれ壁面Ｋに固定された基台Ｖ1 の各第１保持部１の開口７から内部に押し込むと、当該第１保持部１を構成する外壁部Ｗ1a及び内壁部Ｗ1bがそれぞれ弾性変形することにより、前記開口７が拡開されて、当該外壁部Ｗ1a及び内壁部Ｗ1bで囲まれる空間部に配管材Ｐ1 ，Ｐ2 が収容されて、当該外壁部Ｗ1a及び内壁部Ｗ1bの各先端部、並びに保持片６が当該配管材Ｐ1 ，Ｐ2 の外周面に対して斜上方及び斜下方から弾接して、左右一対の第１保持部１に配管材Ｐ1 ，Ｐ2 が並列配管状態で保持される。
【００４３】
次に、配管材Ｐ3 ，Ｐ4 の長手方向の一部が左右一対の第２保持部１１に部分保持されることにより、当該配管材Ｐ3 ，Ｐ4 を互いに連結している保持具Ｓ1 の差込板部１３を、基台Ｖ1 の左右一対の第１保持部１を形成する各内壁外側板部３の間の隙間に挿入させると、当該隙間を通過する際には、左右一対の外壁部Ｗ1aの各内壁外側板部３が弾性変形して、当該各内壁外側板部３の間隔が拡げられることにより、前記差込板部１３の先端の抜出防止部１６の通過を許容し、当該抜出防止部１６の通過後に、元の幅に復元することにより、基台Ｖ1 に対して保持具Ｓ1 は容易には抜け出なくなる。なお、外壁部Ｗ1aの内壁外側板部３の弾性変形の程度によっては、前記差込板部１３の先端の抜出防止部１６の変形溝１５の幅が狭められることと協働して、当該抜出防止部１６の通過を許容する。基台Ｖ1 の各内壁外側板部３の間の隙間に対する保持具Ｓ1 の差込板部１３の挿入は、当該保持具Ｓ1 の連結板部１８の部分に力を加えて押し込むことにより、容易に行える。これにより、図２及び図５に示されるように、基台Ｖ1 に対して計４本の配管材Ｐ1 〜Ｐ4 が二段並列状態となって配管され、しかも当該配管状態において、基台Ｖ1 の第１保持部１の開口７と、保持具Ｓ1 の第２保持部１１の開口１４とは、互いに対向する関係になるために、配管後には、各配管材Ｐ1 〜Ｐ4 は、いずれも抜け出しが不能となる。よって、配管作業を安定して行える。また、基台Ｖ1 の各内壁外側板部３の間の隙間に保持具Ｓ1 の差込板部１３を差し込むことにより、各第１保持部１の内壁部Ｗ1bは、配管材Ｐ1 ，Ｐ2 の側に弾性変形させられるので、各第１保持部１による配管材Ｐ1 ，Ｐ2 の保持が一層確実となる。また、保持具Ｓ1 の連結体部１２は、左右の各第１保持部１の内壁部Ｗ1bを構成する内壁外側板部３と内壁本体部５とを連結する各連結板部４の上面に載せられた状態で、各内壁本体部５の先端部の間に配置されるので、内壁部Ｗ1bによる配管材Ｐ1 ，Ｐ2 の保持には影響を与えない。最後に、保護カバーＣ1 の基台Ｖ1 に対して蓋体Ｌ1 を組み付けた後に、各蓋体Ｌ1 の直交接続部に付属保護カバーＣ01の蓋体Ｌ01を覆蓋させると共に、付属保護カバーＣ02の基台Ｖ02に対して蓋体Ｌ02を組み付ける。
【００４４】
そして、図５に示されるように、保護カバーＣ1 の幅Ｕは、計４本の配線・配管材Ｐ1 〜Ｐ4 を並列配管する幅よりも遥かに狭くなっている。よって、「並列型保護カバー」により、２本の配線・配管材Ｐ1 ，Ｐ2 を並列配管させるスペースさえあれば、計４本の配線・配管材Ｐ1 〜Ｐ4 を並列配管させるスペースがない場合においても、二段配管により、計４本の配線・配管材Ｐ1 〜Ｐ4 を配管させられる。
【実施例２】
【００４５】
次に、図６及び図７を参照して、本発明の実施例２の保護カバーＣ2 について説明する。図６は、２本の配管材Ｐ1 ，Ｐ3'を二段配管して収容保持可能な本発明の実施例２の保護カバーＣ2 の分解斜視図であり、図７（ａ），（ｂ）は、それぞれ２本の配管材Ｐ1 ，Ｐ3'を保護カバーＣ2 に収容保持した状態において、長手方向に沿って異なる部分の断面図である。保護カバーＣ2 は、長手方向の一部において保持壁部３３の対向部が欠落された基台Ｖ2 と、別の配管材Ｐ3'が保持可能であって、前記基台Ｖ2 に保持された配管材Ｐ1 に取着される保持具Ｓ2 と、前記基台Ｖ2 に対して組み付けられる蓋体Ｌ2 とから成る。
【００４６】
基台Ｖ2 は、基台本体部３１に対して第１保持部３２を構成する左右一対の保持壁部３３が一体に設けられて、各保持壁部３３には、長手方向に沿って所定間隔をおいて欠落部３４が形成され、各保持壁部３３の先端部の間に配管材Ｐ1 を挿入する開口３５が形成され、当該一対の保持壁部３３の基端部と基台本体部３１との間に嵌合溝３６が形成された構成である。保持具Ｓ2 は、２つのリング体が周方向の一部で一体に連結されて、各リング体における当該連結部３７と対向する部分が、配管材Ｐ1 ，Ｐ3'を収容可能な大きさに欠落されて開口３８ａ，３８ｂがそれぞれ形成されていて、周方向の一部が欠落された前記リング体は、それぞれ配管材嵌着部３９及び第２保持部４１となっている。蓋体Ｌ2 は、基台Ｖ2 に組み付けられて、二段配管された２本の配管材Ｐ1 ，Ｐ3'を収容可能な空間部を形成すべく、所定間隔をおいて対向配置された各側板部４２が天板部４３で連結された構成であり、各側板部４２の内側面における開口に臨む部分に嵌合突部４４が形成されている。
【００４７】
そして、基台Ｖ2 の第１保持部３２に配管材Ｐ1 を収容保持した状態で、当該配管材Ｐ1 における各保持壁部３３の欠落部３４の部分に保持具Ｓ2 の配管材嵌着部３９を嵌着させる。その後に、保持具Ｓ2 の第２保持部４１に別の配管材Ｐ3'を嵌着させて保持させる。なお、保持具Ｓ2 の第２保持部４１に別の配管材Ｐ3'を嵌着保持させた状態で、当該保持具Ｓ2 の配管材嵌着部３９を、基台Ｖ2 に保持された配管材Ｐ1 に嵌着させてもよい。最後に、基台Ｖ2 に対して蓋体Ｌ2 を組み付けると、当該組付けにより形成された空間部に、保持具Ｓ2 を介して二段配管された２本の配管材Ｐ1 ，Ｐ3'が収容される。
【実施例３】
【００４８】
次に、図８及び図９を参照にして、本発明の実施例３の保護カバーＣ3 について説明する。図８は、２本の配管材Ｐ1 ，Ｐ3 を二段配管して収容保持可能な本発明の実施例３の保護カバーＣ3 の分解斜視図であり、図９（ａ），（ｂ）は、それぞれ２本の配管材Ｐ1 ，Ｐ3 を二段配管した状態、及び蓋体Ｌ3 を組み付けた状態の断面図である。なお、保護カバーＣ3 を構成する基台Ｖ3 は、前記保護カバーＣ2 の基台Ｖ2 に対して一部が異なるのみであり、蓋体Ｌ3 は、前記保護カバーＣ2 の蓋体Ｌ2 と同一であるため、同一部分には同一又は同等の符号を使用する。保護カバーＣ3 は、第１保持部３２’を形成していて、先端部に外方にわん曲された基台側引掛け部３３ａ’が設けられた保持壁部３３’を備えた基台Ｖ3 と、断面形状が逆Ｕ字状をなしている第２保持部４５の各先端部に保持具側引掛け部４６が形成された保持具Ｓ3 と、蓋体Ｌ3 とから成る。保持具Ｓ3 は、断面逆Ｕ字状をなしていて、その内部空間に上段の配管材Ｐ3 が収容保持される構成であって、全体が当該配管材Ｐ3 を保持する第２保持部４５となっていると共に、上段の配管材Ｐ3 を挿入する開口４７を備えている。
【００４９】
基台Ｖ3 の第１保持部３２’に配管材Ｐ1 を保持させた後に、当該配管材Ｐ1 に対して上段の配管材Ｐ3 を二段配管させておいて、配管材Ｐ3 を保持具Ｓ3 で覆った状態で、当該保持具Ｓ3 の開口を拡開させた後に開放することにより、基台Ｖ3 の基台側引掛け部３３ａ’と保持具Ｓ3 の保持具側引掛け部４６とを互いに引っ掛けると、基台Ｖ3 に対して上段の配管材Ｐ3 が保持される。その後に、基台Ｖ3 に対して蓋体Ｌ3 を組み付けると、２本の配管材Ｐ1 ，Ｐ3 が二段配管状態で、基台Ｖ3 と蓋体Ｌ3 との組み付けにより形成される空間部に収容保持される。
【実施例４】
【００５０】
次に、図１０を参照して、本発明の実施例４の保護カバーＣ4 ，Ｃ4'について説明する。図１０（ａ），（ｂ）は、それぞれ２本の配管材Ｐ1 ，Ｐ3'を二段配管できる本発明の実施例４の保護カバーＣ4 ，Ｃ4'の断面図である。上記した保護カバーＣ1 〜Ｃ3 は、いずれも保持具Ｓ1 〜Ｓ3 を使用して、配管材を二段配管可能にしたものであって、当該保持具Ｓ1 〜Ｓ3 に第２保持部１１，４１，４５が設けられていて、基台Ｖ1 〜Ｖ3 の第１保持部１，３２，３２’に保持される配管材の上方に配管される別の配管材を保持可能にしたものである。これに対して、保護カバーＣ4 ，Ｃ4'の第２保持部５５，５５’は、基台Ｖ4 ，Ｖ4'に一体に設けられている点が上記保護カバーＣ1 〜Ｃ3 と異なる。なお、保護カバーＣ4 ，Ｃ4'を構成する蓋体Ｌ4 は、保護カバーＣ3 の蓋体Ｌ3 と同一である。
【００５１】
図１０（ａ）に示される保護カバーＣ4 は、基台本体部５１に、側方を向いた開口５２を有する第１保持部５３が一体に形成され、当該第１保持部５３の上方に、反対の側方を向いた開口５４を有する第２保持部５５が一体に設けられている。第１保持部５３は、基台本体部５１とで周方向の一部が欠落されて開口５２となった構成であって、基台本体部５１を除く部分が弾性変形することにより、側方を向いた開口５２から配管材Ｐ1 を収容可能となっている。第２保持部５５は、円筒体の周方向の一部が欠落されることにより、前記開口５２と反対の側方を向いた開口５４が形成されて、当該開口５４が拡開されるように、円筒体の全体が弾性変形して、内部に配管材Ｐ2 を収容可能にしている。保護カバーＣ4 の基台Ｖ4 に設けられた第１及び第２の各保持部５３，５５の各開口５２，５４が互いに反対の側方を向いているが、保護カバーＣ4'の基台Ｖ4'に設けられた第１及び第２の各保持部５３，５５’の各開口５２，５４’は、同一の側方を向いており、この点が保護カバーＣ4 ，Ｃ4'の唯一の相違点である。
【００５２】
上記した各保護カバーＣ4 ，Ｃ4'は、いずれも第１及び第２の各保持部５３，５５（５５’）がいずれも基台Ｖ4 に一体に設けられていて、しかも第１及び第２の各保持部５３，５５（５５’）の各開口５２，５４（５４’）は、いずれも側方を向いているために、配管材Ｐ1 ，Ｐ3'を二段配管する場合に、上下のいずれの段を先に配管するための制約のない利点がある。
【００５３】
また、実施例１の保護カバーＣ1 は、４本の配管材Ｐ1 〜Ｐ4 を二段並列配管する場合において、下段の第１保持部１の開口７と、保持具Ｓ1 に形成された上段の第２保持部１１の開口１４とが対向配置された構成であって、配管後において、４本の配管材Ｐ1 〜Ｐ4 のいずれもが抜け出ない利点がある。しかし、第５〜第７の各実施例の保護カバーＣ5 〜Ｃ7 によっても、４本又は３本の配管材Ｐ1 〜Ｐ4 を二段並列配管でき、更に、実施例８の保護カバーＣ8 ，Ｃ8'によれば、保持具を使用せずに、４本の配管材Ｐ1,Ｐ2,Ｐ3', Ｐ4'を二段並列配管できる。以下、各実施例５〜８の保護カバーＣ5 〜Ｃ8 ，Ｃ8'について順次説明する。
【実施例５】
【００５４】
次に、図１１を参照して、本発明の実施例５の保護カバーＣ5 について説明する。図１１（ａ）は、本発明の実施例５の保護カバーＣ5 の保持具Ｓ5 の斜視図であり、同（ｂ）は、二段並列配管された４本の配管材Ｐ1 〜Ｐ4 が保護カバーＣ5 に収容保持された状態の断面図である。なお、保護カバーＣ5 を構成する基台Ｖ5 及び蓋体Ｌ5 は、いずれも前記保護カバーＣ1 を構成する基台Ｖ1 及び蓋体Ｌ1 と同一であるので、当該基台Ｖ1 及び蓋体Ｌ1 の各部分に使用した符号と同一符号を使用し、重複説明を回避して図示のみ行う。保護カバーＣ5 は、基台Ｖ5 と、当該基台Ｖ5 に組み付けられる蓋体Ｌ5 と、当該基台Ｖ5 に取着される保持具Ｓ5 とから成る。保持具Ｓ5 は、上段に配管される２本の配管材Ｐ3 ，Ｐ4 を保持する左右一対の第２保持部６１が一体に連結されて、当該連結部に差込板部６２が前記第２保持部６１と反対側に設けられて、当該差込板部６２の延長線に対して前記一対の第２保持部６１が対称配置された構成である。一対の第２保持部６１は、円筒体の周方向の一部を欠落させて、配管材Ｐ3 ，Ｐ4 を嵌入させる開口６３が形成された構成であって、当該開口６３は、基台Ｖ5 に設けられた一対の第１保持部１の開口７と同一の方向である壁面Ｋと反対側を向いている。
【００５５】
このため、基台Ｖ5 の一対の第１保持部１に配管材Ｐ1 ，Ｐ2 を収容保持した後に、一対の第２保持部６１にそれぞれ配管材Ｐ3 ，Ｐ4 を収容保持させた状態の保持具Ｓ5 の差込板部６２を、基台Ｖ5 の各内壁外側板部３の間に差し込むことにより、当該保持具Ｓ5 を基台Ｖ5 に取着させると、基台Ｖ5 に対して４本の配管材Ｐ1 〜Ｐ4 が二段並列配管される。また、保持具Ｓ5 の一対の第２保持部６１に形成された開口６３は、壁面Ｋ又は基台本体部２と反対側を向いているので、上段の２本の配管材Ｐ3 ，Ｐ4 は、基台Ｖ5 に保持具Ｓ5 を取着させた後に、当該保持具Ｓ5 の各第２保持部６１に収容保持させることもできる。基台Ｖ5 に対して計４本の配管材Ｐ1 〜Ｐ4 を上記のようにして二段並列配管した後に、当該基台Ｖ5 に対して蓋体Ｌ5 を組み付ける。
【実施例６】
【００５６】
次に、図１２を参照して、本発明の実施例６の保護カバーＣ6 について説明する。図１２（ａ）は、本発明の実施例６の保護カバーＣ6 の保持具Ｓ6 の斜視図であり、同（ｂ）は、二段並列配管された４本の配管材Ｐ1 〜Ｐ4 が保護カバーＣ6 に収容保持された状態の断面図である。保護カバーＣ6 は、左右一対の第１保持部７２を備えた基台Ｖ6 と、当該基台Ｖ6 に組み付けられる蓋体Ｌ6 と、前記基台Ｖ6 に取着される保持具Ｓ6 とから成る。保護カバーＣ6 の保持具Ｓ6 は、保護カバーＣ5 の保持具Ｓ5 と同一である。基台Ｖ6 の基台本体部７１には、断面円弧状をした左右一対の第１保持部７２が一体に形成され、各第１保持部７２の基端部を構成する起立板部７２ａが基台本体部７１に対して垂直に起立して形成され、当該起立板部７２ａに断面円弧状をしていて、弾性変形可能な保持板部７２ｂが連結されることにより、各第１保持部７２の各開口７３は、いずれも側方を向いている。蓋体Ｌ6 は、所定間隔をおいて対向配置された各側板部７４が天板部７５で連結されて、各側板部７４の内側面における開口に臨む部分に、基台Ｖ6 の幅方向の両端部に形成された嵌合溝７６に嵌合される嵌合突部７７が形成された構成である。
【００５７】
このため、基台Ｖ6 の第１保持部７２の保持板部７２ｂを弾性変形させることにより、第１保持部７２の開口７３を拡開させ、拡開状態の当該開口７３から第１保持部７２の内部に配管材Ｐ1 （Ｐ2 ）を嵌め込んで保持させる。これにより、基台Ｖ6 の一対の第１保持部７２に２本の配管材Ｐ1 ，Ｐ2 が並列配管される。その後に、基台Ｖ6 の各第１保持部７２の各起立板部７２ａの間に、保持具Ｓ6 の差込板部６２を差し込んで、当該保持具Ｓ6 を基台Ｖ6 に取着させる。この状態で、保持具Ｓ6 の各第２保持部６１に上段の２本の配管材Ｐ3 ，Ｐ4 を保持させると、基台Ｖ6 に計４本の配管材Ｐ1 〜Ｐ4 が二段並列配管される。最後に、基台Ｖ6 に対して蓋体Ｌ6 を組み付ける。なお、配管材Ｐ3 ，Ｐ4 の配管に際しては、基台Ｖ6 に保持具Ｓ6 を取着させた後に、当該保持具Ｓ6 の各第２保持部６１に配管材Ｐ3 ，Ｐ4 を保持させることが可能であるのは、前記保護カバーＣ5 と同様である。
【実施例７】
【００５８】
次に、図１３を参照して、本発明の実施例７の保護カバーＣ7 について説明する。図１３（ａ）は、本発明の実施例７の保護カバーＣ7 の保持具Ｓ7 の斜視図であり、（ｂ）は、二段並列配管された３本の配管材Ｐ1 〜Ｐ3 が保護カバーＣ7 に収容保持された状態の断面図である。なお、保護カバーＣ7 を構成する基台Ｖ7 及び蓋体Ｌ7 は、前記保護カバーＣ6 の基台Ｖ6 及び蓋体Ｌ6 と同一である。保護カバーＣ7 は、基台Ｖ7 と、蓋体Ｌ7 と、前記基台Ｖ7 に取着される保持具Ｓ7 とから成る。保持具Ｓ7 は、単一の第２保持部６１に差込板部６２が一体に設けられた構成である。保持具Ｓ7 は、差込板部６２の延長線に対して対称であって、基台Ｖ7 に取着した状態で、第２保持部６１の開口６３は、壁面Ｋ或いは基台本体部７１と反対側を向いている。
【００５９】
このため、基台Ｖ7 の各第１保持部７２に２本の配管材Ｐ1 ，Ｐ2 を並列配管させた後に、当該基台Ｖ7 の各第１保持部７２の各起立板部７２ａの間に、保持具Ｓ7 の差込板部６２を差し込んで、当該保持具Ｓ7 を基台Ｖ7 に取着させ、この状態で、当該保持具Ｓ7 の第２保持部６１に配管材Ｐ3 を保持させると、下段の２本の配管材Ｐ1 ，Ｐ2 が並列配管された状態で、計３本の配管材Ｐ1 〜Ｐ3 が保持具Ｓ7 を介して二段配管される。
【実施例８】
【００６０】
次に、図１４を参照して、本発明の実施例８の保護カバーＣ8 について説明する。図１４（ａ），（ｂ）は、それぞれ４本の配管材Ｐ1,Ｐ2,Ｐ3', Ｐ4'を二段並列配管できる本発明の実施例８の保護カバーＣ8 ，Ｃ8'の断面図である。保護カバーＣ8 は、４本の配管材Ｐ1,Ｐ2,Ｐ3', Ｐ4'を二段並列配管できる一対の第１保持部７２及び一対の第２保持部７８を備えた基台Ｖ8 と、当該基台Ｖ8 に組み付けられる蓋体Ｌ8 とから成る。なお、蓋体Ｌ8 は、保護カバーＣ6 の蓋体Ｌ6 と同一である。基台本体部７１に左右一対の第１保持部７２が一体に設けられた構成は、前記保護カバーＣ6 の基台Ｖ6 と同一であって、当該一対の第１保持部７２の直上に左右一対の第２保持部７８がそれぞれ一体に連結されている。一対の第２保持部７８は、互いに分離されていて、その開口７９は、下段の一対の第１保持部７２の開口７３と同様に横方向を向いている。
【００６１】
このため、基台Ｖ8 の一対の第１保持部７２及び一対の第２保持部７８に対して計４本の配管材Ｐ1,Ｐ2,Ｐ3', Ｐ4'を二段並列配管するには、各保持部７２，７８に対する配管材Ｐ1,Ｐ2,Ｐ3', Ｐ4'の保持（配管順序）は、全く制限なく行えるが、一般的には、下段の一対の第１保持部７２に２本の配管材Ｐ1 ，Ｐ2 を保持させた後に、上段の一対の第２保持部７８に残りの２本の配管材Ｐ3', Ｐ4'を保持させる。
【００６２】
また、保護カバーＣ8'は、前記保護カバーＣ8 と全く同様に、４本の配管材Ｐ1,Ｐ2,Ｐ3', Ｐ4'を二段並列配管できるにもかかわらず、一対の第１保持部７２’の基端部の起立板部が一体化されていると共に、一対の第２保持部７８’が互いに連結されているために、上記した保護カバーＣ8 に対して基台Ｖ8'の幅を狭くできる利点がある。
【００６３】
ここで、上記した「並列型保護カバー」を使用して、給水及び給湯用の２本の配管材が配管されている状態において、リフォームにより追焚用の２本の配管材を追加配管したい場合が発生する。この場合には、「並列型保護カバー」の基台を共用して、保持具、及び二段配管用の蓋体を別途使用することにより、上記した需要に対応可能となり、以下、単段配管から二段配管に変更する観点のみから、保護カバー装置Ｃ9 ，Ｃ9', Ｃ9'',Ｃ10について説明する。
【実施例９】
【００６４】
最初に、図１５を参照して、単段配管から二段配管への変更を可能とする本発明の実施例９の保護カバー装置Ｃ9 について説明する。図１５（ａ）は、それぞれ単段配管、及び二段配管における保護カバー装置Ｃ9 を左右に配置した断面図である。なお、保護カバー装置Ｃ9 を構成する基台Ｖ9 及び蓋体Ｌ9bは、保護カバーＣ1 を構成する基台Ｖ1 及び蓋体Ｌ1 と同一であり、使用される保持具Ｓ9 は、保護カバーＣ5 を構成する保持具Ｓ5 と同一である。保護カバー装置Ｃ9 は、基台Ｖ9 と、二段配管状態で当該基台Ｖ9 に組み付けられる二段配管用の蓋体Ｌ9bと、単段配管状態で当該基台Ｖ9 に組み付けられる単段配管用の蓋体Ｌ9aと、二段配管時に使用される保持具Ｓ9 とから成る。なお、単段配管用の蓋体Ｌ9aは、二段配管用の蓋体Ｌ9bに対して高さのみが低くなった構成である。
【００６５】
従って、図１５（ａ）の左図に示されるように、２本の配管材Ｐ1 ，Ｐ2 が単段並列配管されている状態において、保持具Ｓ9 を使用すると、上段に別の２本の配管材Ｐ3 ，Ｐ4 を並列配管させて、全体として計４本の配管材Ｐ1 〜Ｐ4 を二段並列配管できる。この状態で、単段配管用の蓋体Ｌ9aに替えて、二段配管用の蓋体Ｌ9bを基台Ｖ9 に組み付けると、図１５（ａ）の右図に示されるように、追焚用の２本の配管材Ｐ3 ，Ｐ4 が追加配管されて、二段並列配管された計４本の配管材Ｐ1 〜Ｐ4 が、基台Ｖ9 と蓋体Ｌ9bとで形成される収容空間内に収容保持される。
【００６６】
また、保護カバー装置Ｃ9 は、壁面Ｋに設置した状態で、基台Ｖ9 の嵌合溝８及び蓋体Ｌ9a，Ｌ9bの嵌合突部２３が当該壁面Ｋに近接した部分に配置されて、蓋体Ｌ9a，Ｌ9bの開口端面が当該壁面Ｋに近接する構成であるので、当該壁面Ｋとの間に殆ど隙間が発生しないために、見栄えがよいと共に、設置状態において、蓋体Ｌ9a，Ｌ9bの開口端面と壁面Ｋとの間にシーラントを施すことにより、保護カバー装置Ｃ9 の密閉が図られる利点がある。
【００６７】
また、図１５（ｂ），（ｃ）に示される各保護カバー装置Ｃ9' (Ｃ9'')は、前記保護カバー装置Ｃ9 に対して、基台Ｖ9' (Ｖ9'')と蓋体Ｌ9a',Ｌ9b'(Ｌ9a'', Ｌ9b'') との嵌合部の高さ位置が異なるのみである。図１５（ｂ），（ｃ）において、８’（８''）は、基台Ｖ9' (Ｖ9'')に設けられた嵌合溝を示し、２３’（２３''）は、蓋体Ｌ9a',Ｌ9b'(Ｌ9a'', Ｌ9b'') に設けられた嵌合突部を示す。なお、図１５は、断面図であるが、図面の煩雑化を回避するために断面表示していない。
【実施例１０】
【００６８】
また、図１６に示される本発明の実施例１０の保護カバー装置Ｃ10は、前記保護カバーＣ6 を構成する基台Ｖ6 及び蓋体Ｌ6 と同一構成の基台Ｖ10及び蓋体Ｌ10b と、当該基台Ｖ10に組み付けられる単段配管用の蓋体Ｌ10a と、保持具Ｓ10とから成る。
【００６９】
保持具Ｓ10は、図１６（ａ）に示されるように、両側方に開口８１を有する一対の第２保持部８２の反開口側の部分が一体に連結されて、一体連結された一対の第２保持部８２の連結部に差込板部８３が一体に連結されて、当該差込板部８３に延長線に対して対称な形状となっている。また、単段配管用の蓋体Ｌ10a は、二段配管用の蓋体Ｌ10b に対して高さのみが低くなった構成である。このため、図１６（ｂ）に示されるように、基台Ｖ10に保持具Ｓ10を取着して、計４本の配管材Ｐ1 〜Ｐ4 を二段並列配管して、当該基台Ｖ10に対して二段配管用の蓋体Ｌ10b を組み付けることにより、基台Ｖ10を共用して、追焚用の２本の配管Ｐ3 ，Ｐ4 を追加配管できる。なお、保護カバー装置Ｃ10と前記保護カバー装置Ｃ9 とは、下段となる第１保持部７２（１）の開口７３（７）及び上段となる第２保持部８２（６１）の開口８１（６３）の各向きがそれぞれ異なる。なお、図１６（ｂ）は、断面図であるが、図面の煩雑化の回避のために断面表示していない。
【００７０】
また、上記実施例１〜１０では、いずれも下段の第１配線・配管材を収容保持するために第１保持部に設けられた開口と、上段の第２配線・配管材を収容保持するために第２保持部に設けられた開口とは、別に形成されていて、実施例１のように、配線・配管状態において、第１及び第２の各配線・配管材の各開口が対向配置される場合には、第１及び第２の配線・配管材がいずれも抜け出ない利点を有している。しかし、第１及び第２の各配線・配管材の開口が共通した一つである場合も本発明に含まれる。具体的には、配線・配管材を保持するために基台に設けられる一対の壁部（保持片）を上段にまで達する高さとして、当該一対の壁部の各端部の間に単に一つの開口を形成することにより、二段配管される第１及び第２の各配線・配管材の収容空間部を連通させて、共通の一つの開口から二段配管される第１及び第２の各配線・配管材を順次挿入する構成とすることも可能である。
【符号の説明】
【００７１】
Ｃ1 〜Ｃ8 ：保護カバー
Ｃ9 ，Ｃ10：保護カバー装置
Ｋ：壁面
Ｌ1 〜Ｌ8,Ｌ9b, Ｌ10b ：（二段配管用の）蓋体
Ｌ9a, Ｌ10a ：（単段配管用の）蓋体
Ｐ1 ，Ｐ2 ：配管材（第１配線・配管材）
Ｐ3 ，Ｐ4 ：配管材（第２配線・配管材）
Ｓ1 〜Ｓ3 ，Ｓ5 〜Ｓ7 ，Ｓ9 ，Ｓ10：保持具
Ｖ1 〜Ｖ10：基台
１，３２，５３，７２：第１保持部
１１，４１，４５，５５，６１，７８，８２：第２保持部
１３，６２，８３：保持具の差込板部（取着部）
７，３５，５２，７３：（第１配線・配管材の）開口
１４，３８ｂ，４７，５４，６３，７９，８１：（第２配線・配管材の）開口
【図１】
0006005809.tif 000002
【図２】
0006005809.tif 000003
【図３】
0006005809.tif 000004
【図４】
0006005809.tif 000005
【図５】
0006005809.tif 000006
【図６】
0006005809.tif 000007
【図７】
0006005809.tif 000008
【図８】
0006005809.tif 000009
【図９】
0006005809.tif 000010
【図１０】
0006005809.tif 000011
【図１１】
0006005809.tif 000012
【図１２】
0006005809.tif 000013
【図１３】
0006005809.tif 000014
【図１４】
0006005809.tif 000015
【図１５】
0006005809.tif 000016
【図１６】
0006005809.tif 000017